(57)【特許請求の範囲】
【請求項１】
映像形成部を有し、該映像形成部に光を照射することによって上記映像形成部に表示された映像をスクリーン上に投写する映像投写装置において、
上記映像形成部を照射する光を発する第１の光源部と、
上記映像形成部を照射する光を発する第２の光源部と、
上記第１の光源部を、第１の待機位置又は上記映像形成部に光を照射する照射位置に移動させる第１の移動機構と、
上記第２の光源部を、第２の待機位置又は上記照射位置に移動させる第２の移動機構と、
入射する光の強さに応じた信号を出力する光検出手段と、
少なくとも上記映像形成部と上記光検出手段とを収容する第１の筐体と、
上記照射位置にある上記第１の光源部から発せられ、上記映像形成部で反射して上記光検出手段に達した光の強さが所定の基準値より弱い場合には、上記第１の移動機構による上記第１の光源部の上記第１の待機位置への移動を実行させ、上記第２の移動機構による上記第２の光源部の上記照射位置への移動及び上記第２の光源部の点灯を実行させる制御手段と
を有し、
上記制御手段が、上記映像形成部が映像を表示していない瞬間の反射光の強さに基づいて、上記制御を実行する
ことを特徴とする映像投写装置。
【請求項２】
上記第１の移動機構が、上記第１の光源部を移動可能に支持する第１のレールと、上記第１の光源部を上記第１のレールに沿って移動させる第１の駆動機構とを有し、
上記第２の移動機構が、上記第２の光源部を移動可能に支持する第２のレールと、上記第２の光源部を上記第２のレールに沿って移動させる第２の駆動機構とを有する
ことを特徴とする請求項１記載の映像投写装置。
【請求項３】
上記第１の光源部及び上記第２の光源部を収容し、上記第１の待機位置にある上記第１の光源部を交換するための第１の光源交換口を備えた第２の筐体と、
上記第１の光源部の温度を検知する第１の温度検出手段と、
上記第２の筐体に備えられ、上記第１の光源交換口を塞ぐ第１の蓋と、
上記第１の蓋が開かない状態にロックする第１のロック機構と
を有し、
上記制御手段が、上記第１の温度検出手段により検知された温度が所定の基準温度より低いときに、上記第１のロック機構による上記第１の蓋のロックを解除させることを特徴とする請求項１又は２に記載の映像投写装置。
【請求項４】
上記第２の筐体が、上記第２の待機位置にある上記第２の光源部を交換するための第２の光源交換口を備え、
上記第２の光源部の温度を検知する第２の温度検出手段と、
上記第２の筐体に備えられ、上記第２の光源交換口を塞ぐ第２の蓋と、
上記第２の蓋が開かない状態にロックする第２のロック機構と
を有し、
上記制御手段が、上記第２の温度検出手段により検知された温度が所定の基準温度より低いときに、上記第２のロック機構による上記第２の蓋のロックを解除させることを特徴とする請求項３記載の映像投写装置。
【請求項５】
上記第１の光源部及び上記第２の光源部を収容し、上記第１の待機位置にある上記第１の光源部を交換するための第１の光源交換口を備えた第２の筐体と、
上記第１の光源部が第１の待機位置に到達してからの経過時間を計測する第１のタイマーと、
上記第２の筐体に備えられ、上記第１の光源交換口を塞ぐ第１の蓋と、
上記第１の蓋が開かない状態にロックする第１のロック機構と
を有し、
上記制御手段が、上記第１のタイマーにより計測された時間が所定の基準時間を超えたときに、上記第１のロック機構による上記第１の蓋のロックを解除させることを特徴とする請求項１又は２に記載の映像投写装置。
【請求項６】
上記第２の筐体が、上記第２の待機位置にある上記第２の光源部を交換するための第２の光源交換口を備え、
上記第２の光源部が第２の待機位置に到達してからの経過時間を計測する第２のタイマーと、
上記第２の筐体に備えられ、上記第２の光源交換口を塞ぐ第２の蓋と、
上記第２の蓋が開かない状態にロックする第２のロック機構と
を有し、
上記制御手段が、上記第２のタイマーにより計測された時間が所定の基準時間を超えたときに、上記第２のロック機構による上記第２の蓋のロックを解除させることを特徴とする請求項５記載の映像投写装置。
【発明の詳細な説明】
【０００１】
【発明の属する技術分野】
本発明は、例えば、液晶パネルに光を照射することによって液晶パネルに表示された映像をスクリーン上に投写する映像投写装置に関するものであり、特に、映像投写装置のランプ交換に関するものである。
【０００２】
【従来の技術】
背面投写型プロジェクターには、複数台のコアユニットを上下左右に並べて複数枚のスクリーン部からなる１つの大型スクリーンを構成するマルチビジョン型のものがある。各コアユニットの中には、映像投写装置が装備されており、映像投写装置のそれぞれが、液晶パネルにランプからの光を照射することによって液晶パネルに表示された映像をコアユニットのスクリーン部に投写している。このような背面投写型プロジェクターは、大画面表示が可能であるため、例えば、工場設備等の２４時間監視用の表示装置として使用されている。
【０００３】
【発明が解決しようとする課題】
しかしながら、映像投写装置の光源として使用されるランプは、ＵＨＰランプ（高圧水銀ランプ）等の高輝度ランプであり、その寿命は比較的短いので、ランプ交換作業を頻繁に行う必要があった。このようなランプ交換作業は、ユーザーにとっては面倒であり、また、監視用途のプロジェクターの場合には、設備の監視が中断するという問題があった。また、点灯中のランプは高温であるため、ランプの交換作業には、危険が伴うという問題もあった。
【０００４】
そこで、本発明は、上記したような従来技術の課題を解決するためになされたものであり、その目的とするところは、ランプ切れによる映像表示の中断を減らすと共に、ランプ交換に伴う映像表示の中断時間の短縮を図ることができる映像投写装置を提供することにある。
【０００５】
また、本発明の他の目的は、ランプ交換時に作業者の安全を確保できる映像投写装置を提供することにある。
【０００６】
【課題を解決するための手段】
請求項１の映像投写装置は、映像形成部を有し、該映像形成部に光を照射することによって上記映像形成部に表示された映像をスクリーン上に投写する映像投写装置であって、上記映像形成部を照射する光を発する第１の光源部と、上記映像形成部を照射する光を発する第２の光源部と、上記第１の光源部を、第１の待機位置又は上記映像形成部に光を照射する照射位置に移動させる第１の移動機構と、上記第２の光源部を、第２の待機位置又は上記照射位置に移動させる第２の移動機構と、入射する光の強さに応じた信号を出力する光検出手段と、少なくとも上記映像形成部と上記光検出手段とを収容する第１の筐体と、上記照射位置にある上記第１の光源部から発せられ、上記映像形成部で反射して上記光検出手段に達した光の強さが所定の基準値より弱い場合には、上記第１の移動機構による上記第１の光源部の上記第１の待機位置への移動を実行させ、上記第２の移動機構による上記第２の光源部の上記照射位置への移動及び上記第２の光源部の点灯を実行させる制御手段とを有し、上記制御手段が、上記映像形成部が映像を表示していない瞬間の反射光の強さに基づいて、上記制御を実行することを特徴としている。
【０００７】
また、請求項２の映像投写装置は、請求項１の装置において、上記第１の移動機構が、上記第１の光源部を移動可能に支持する第１のレールと、上記第１の光源部を上記第１のレールに沿って移動させる第１の駆動機構とを有し、上記第２の移動機構が、上記第２の光源部を移動可能に支持する第２のレールと、上記第２の光源部を上記第２のレールに沿って移動させる第２の駆動機構とを有することを特徴としている。
【０００９】
また、請求項３の映像投写装置は、請求項１又は２の装置において、上記第１の光源部及び上記第２の光源部を収容し、上記第１の待機位置にある上記第１の光源部を交換するための第１の光源交換口を備えた第２の筐体と、上記第１の光源部の温度を検知する第１の温度検出手段と、上記第２の筐体に備えられ、上記第１の光源交換口を塞ぐ第１の蓋と、上記第１の蓋が開かない状態にロックする第１のロック機構とを有し、上記制御手段が、上記第１の温度検出手段により検知された温度が所定の基準温度より低いときに、上記第１のロック機構による上記第１の蓋のロックを解除させることを特徴としている。
【００１０】
また、請求項４の映像投写装置は、請求項３の装置において、上記第２の筐体が、上記第２の待機位置にある上記第２の光源部を交換するための第２の光源交換口を備え、上記第２の光源部の温度を検知する第２の温度検出手段と、上記第２の筐体に備えられ、上記第２の光源交換口を塞ぐ第２の蓋と、上記第２の蓋が開かない状態にロックする第２のロック機構とを有し、上記制御手段が、上記第２の温度検出手段により検知された温度が所定の基準温度より低いときに、上記第２のロック機構による上記第２の蓋のロックを解除させることを特徴としている。
【００１１】
また、請求項５の映像投写装置は、請求項１又は２の装置において、上記第１の光源部及び上記第２の光源部を収容し、上記第１の待機位置にある上記第１の光源部を交換するための第１の光源交換口を備えた第２の筐体と、上記第１の光源部が第１の待機位置に到達してからの経過時間を計測する第１のタイマーと、上記第２の筐体に備えられ、上記第１の光源交換口を塞ぐ第１の蓋と、上記第１の蓋が開かない状態にロックする第１のロック機構とを有し、上記制御手段が、上記第１のタイマーにより計測された時間が所定の基準時間を超えたときに、上記第１のロック機構による上記第１の蓋のロックを解除させることを特徴としている。
【００１２】
また、請求項６の映像投写装置は、請求項５の装置において、上記第２の筐体が、上記第２の待機位置にある上記第２の光源部を交換するための第２の光源交換口を備え、上記第２の光源部が第２の待機位置に到達してからの経過時間を計測する第２のタイマーと、上記第２の筐体に備えられ、上記第２の光源交換口を塞ぐ第２の蓋と、上記第２の蓋が開かない状態にロックする第２のロック機構とを有し、上記制御手段が、上記第２のタイマーにより計測された時間が所定の基準時間を超えたときに、上記第２のロック機構による上記第２の蓋のロックを解除させることを特徴としている。
【００１７】
【発明の実施の形態】
以下に、本発明の実施の形態を添付図面を参照しながら説明する。
【００１８】
実施の形態１
図１は、本発明の実施の形態１による映像投写装置１００の制御系の構成を示すブロック図である。また、図２は、図１の映像投写装置１００の外観を概略的に示す斜視図、図３は、図２の映像投写装置１００の内部構造を概略的に示す斜視図、図４は、図２を垂直面で切り矢印Ｓ４方向に見た概略的な断面図である。また、図５は、実施の形態１の映像投写装置１００の光学系の構成を示す説明図である。さらに、図６は、複数台のコアユニット２を上下左右に４台並べて４枚のスクリーン部２ａからなる１つの大型スクリーンを構成するマルチビジョン型の背面投写型プロジェクターであって、各コアユニット２に実施の形態１の映像投写装置１００が組み込まれたものを示す一部切り欠き斜視図である。
【００１９】
図に示されるように、実施の形態１の映像投写装置１００は、スクリーン（例えば、図５及び図６に示されるスクリーン部２ａ）に投写される映像を表示する液晶パネル３（図１及び図５に示す。）と、この液晶パネル３を駆動させる液晶駆動回路４（図１に示す。）と、点灯時に液晶パネル３を照射する光を発する光源部５（図１、図３、図４及び図５に示す。）と、点灯時に液晶パネル３を照射する光を発する予備の光源部６（図１及び図３〜図５に示す。）と、光源部５又は光源部６を点灯させるランプ点灯回路７（図１に示す。）とを有する。光源部５及び光源部６はそれぞれ、ＵＨＰランプ等の高輝度ランプと、このランプからの光を所定方向に向ける凹面鏡と、これらを支持する支持構造体と、高輝度ランプに電力を供給するためのソケット等を備えている。
【００２０】
また、実施の形態１の映像投写装置１００は、光源部５を、待機位置８（図１〜図５に示す。）又は液晶パネル３に光を照射する照射位置９（図１〜図５に示す。）に移動させる移動機構１０（図４に示す。）と、予備の光源部６を、待機位置１１（図１〜図５に示す。）又は照射位置９に移動させる移動機構１２（図４に示す。）とを有する。
【００２１】
光源部５用の移動機構１０は、光源部５を水平方向ＤＨに移動可能に支持する１対のレール１３，１４（図３又は図４に示す。）と、光源部５をレール１３，１４に沿って移動させる駆動機構１５（図４に示す。）とを有する。図４に示されるように、駆動機構１５は、光源部５に固定されたラックギヤ１６と、このラックギヤ１６に噛み合うギヤ１７と、このギヤ１７に同軸に固定されたギヤ１８と、このギヤ１８に噛み合うギヤ１９と、このギヤ１９に同軸に固定されたギヤ２０と、このギヤ２０に噛み合うウォーム２１と、このウォーム２１を回転させるモータ２２とを有する。
【００２２】
また、光源部６用の移動機構１２は、光源部６を垂直方向ＤＶに移動可能に支持する１対のレール２３，２４（図３又は図４に示す。）と、光源部６をレール２３，２４に沿って移動させる駆動機構２５（図４に示す。）とを有する。図４に示されるように、駆動機構２５は、光源部６に固定されたラックギヤ２６と、このラックギヤ２６に噛み合うギヤ２７と、このギヤ２７に同軸に固定されたギヤ２８と、このギヤ２８に噛み合うギヤ２９と、このギヤ２９に同軸に固定されたギヤ３０と、このギヤ３０に噛み合うウォーム３１と、このウォーム３１を回転させるモータ３２とを有する。
【００２３】
さらに、図１に示されるように、実施の形態１の映像投写装置１００は、光源部駆動用のモータ２２及びモータ３２を駆動させるモータ駆動回路３４と、光源部５が待機位置８にあることを検出する位置センサー３５（図１、図３及び図４に示す。）と、光源部５が照射位置９にあることを検出する位置センサー３６（図１及び図４に示す。）と、光源部６が待機位置１１にあることを検出する位置センサー３７（図１及び図４に示す。）と、光源部５が待機位置９にあることを検出する位置センサー３８（図１、図３及び図４に示す。）と、位置センサー３５，３６，３７，３８の状態を検出する位置検出回路３９（図１に示す。）とを有する。位置センサー３５，３６，３７，３８は、例えば、それらの検出端（突起）に光源部５又は光源部６が当接したときに、オフ状態になるマイクロスイッチである。尚、図４において、部材７０は、レール１３，１４に沿って水平方向ＤＨに移動する光源部５が当接することによって、照射位置９における光源部５の停止位置を正確に決めるための停止用固定部材であり、筐体４５に備え付けられている。また、部材７１は、レール２３，２４に沿って垂直方向ＤＶに移動する光源部６が当接することによって、照射位置９における光源部６の停止位置を決めるための停止用固定部材であり、筐体４５に備え付けられている。
【００２４】
また、図１及び図５に示されるように、実施の形態１の映像投写装置１００は、液晶パネル３からの反射光の一部を検出する光センサー４０と、光センサー４０の受光量に応じた信号を出力する光検出回路４３（図１に示す。）とを有する。光センサー４０は、外光が光センサー４０に入らないような構造、例えば、密閉構造、を持つ光学ユニット（映像投写装置１００の筐体であり、図５に破線で示す。）内に配置されている。具体的には、光センサー４０は、図５に示すように、液晶パネル３の近傍に配置され、映像が出力されていない時（例えば、各フィールドの間）に、液晶パネル３で全反射した光の一部を検出している。このようにして液晶パネル３からの光以外の光が光センサー４０に到達しにくい構成になっており、光センサー４０の出力の外光による影響を小さくすることができる。尚、光センサー４０の位置は、液晶パネル３からの光の強さ、光センサー４０の特性等の種々の要因に基づいて決定すればよい。
【００２５】
また、図２及び図４に示されるように、実施の形態１の映像投写装置１００は、光源部５及び光源部６を収容し、待機位置８にある光源部５を交換するための光源交換口４４を備えた筐体４５と、光源部５の温度を検出する温度センサー４６と、筐体４５に備えられ、光源交換口４４を塞ぐ蓋４７と、この蓋４７が開かない状態にロックするロック機構４８とを有する。図７（ａ）及び（ｂ）は、図４に示されるロック機構４８の動作を示す説明図である。ロック機構４８は、蓋４７の内面に固定され、バネ及び電磁石等から構成された機構本体４９と、この機構本体４９により伸縮し、伸びた状態で筐体４５の内面に係合し、蓋４７を開かないようにロックする係合部５０とを有する。
【００２６】
また、筐体４５は、待機位置１１にある予備の光源部６を交換するための光源交換口５１を備えている。また、図４に示されるように、実施の形態１の映像投写装置１００は、光源部６の温度を検出する温度センサー５２と、筐体４５に備えられ、光源交換口５１を塞ぐ蓋５３と、この蓋５３が開かない状態にロックするロック機構５４とを有する。ロック機構５４は、光源部５交換口用のロック機構４８と同様に、蓋５３の内面に固定され、バネ及び電磁石等から構成された機構本体５５と、この機構本体５５により伸縮し、伸びた状態で筐体４５の内面に係合し、蓋５３を開かないようにロックする係合部５６とを有する。また、図１に示されるように、実施の形態１の映像投写装置１００は、温度センサー４６，５２の出力に応じた信号を出力する温度検出回路５７と、ロック機構４８，５４をロック状態又はロック解除状態のいずれかに切り替えるロック駆動回路５８と、映像投写装置１００全体の動作を制御する制御回路５９とを有する。
【００２７】
また、図５に示されるように、実施の形態１の映像投写装置１００は、光源部５又は光源部６からの光を集光する集光レンズ６０と、複数種類（例えば、赤、緑、青）のカラーフィルターを備え、映像信号に同期して回転するカラーフィルター盤６１と、カラーフィルター盤６１を回転させるモータ６２と、カラーフィルター盤６１を通過した光を平行光にするレンズ６３と、光を液晶パネル３に向ける反射ミラー６４と、液晶パネル３からの反射光を拡大しスクリーン部２ａに投写する投写レンズ６５とを有する。
【００２８】
図１に示される制御回路５９は、照射位置９にある光源部５から発せられ、液晶パネル３で反射し、光学ユニット内に配置された光センサー４０に達した光の強さが所定の基準値より弱い場合には、光源部５のランプが切れるおそれが高いとみなし、予備の光源部６を点灯させ、移動機構１０により光源部５を待機位置８に移動させ、移動機構１２により光源部６を照射位置９に移動させる。ここで、所定の基準値は、例えば、光源部５が発する初期光強度を予め測定して記憶しておき、測定された初期の光強度にある係数（例えば、９０％）を掛けた値とする。これは、ランプ特性の経年劣化によって光強度が徐々に低下する性質を利用して、ランプが切れる前に、光源部を交換するためである。ところで、光源部５は、移動させる前に消灯しておいた方が良い。ただし、移動完了後に消灯しても構わない。このような液晶パネル３照射用光源の交換により、瞬間的にスクリーンに表示された画面は消えるが（図６のようなマルチビジョン型プロジェクターの場合には、一部の画面（例えば、１／４の画面）が消えるが）、その時間は極めて短く、工場設備の監視等に支障を与えることはない。尚、予備の光源部６の点灯と移動の順番は、どちらを先にすることもでき、移動中に点灯を開始させることもできる。
【００２９】
また、制御回路５９は、光源部５が待機位置８にあり、光源部５用の温度センサー４６が検出する温度が所定の基準温度より低くなったときに、ロック機構４８による蓋４７のロックを解除させる。また、制御回路５９は、光源部６が待機位置９にあり、光源部６用の温度センサー５２が検出する温度が所定の基準温度より低くなったときに、ロック機構５４による蓋５３のロックを解除させる。このように、ロック機構４８，５４を制御することによって、光源部５又は６の交換作業者が、高温のランプに触れて火傷を負う等の事故を防止できる。
【００３０】
図８（ａ）〜（ｉ）は、実施の形態１の映像投写装置１００における光源部の交換動作を示す説明図、図９及び図１０は、実施の形態１の映像投写装置１００の動作を示すフローチャートである。
【００３１】
図８及び図９に示されるように、実施の形態１の映像投写装置１００においては、先ず、映像投写装置１００に電源を投入することによって光源部５を点灯させ（図８（ａ）、ステップＳ１１）、次に、照射位置９にある光源部５の発光輝度に関する初期データをメモリ（図示せず）に格納する（ステップＳ１２）。この初期データは、光源部５の交換時期を判断するための基準値を求めるための基礎データとなる。次に、照射位置９にある光源部５の輝度を光センサー４０からの出力に基づいて検出し（ステップＳ１３）、次に、検出された輝度が所定の基準値以下かどうかを判断する（ステップＳ１４）。ここで、検出された輝度が基準値以下でない場合には、処理はステップＳ１３に戻る。一方、検出された輝度が基準値以下の場合には、予備の光源部６を点灯させ（図８（ｂ）、ステップＳ１５）、光源部５を待機位置８に移動させ、光源部６を照射位置９に移動させる（図８（ｃ）、ステップＳ１６，Ｓ１７）。
【００３２】
次に、図８及び図１０に示されるように、光源部５を消灯し（図８（ｄ）、ステップＳ２１）、次に、光源部５用の温度センサー４６により光源部５の温度を検出し（ステップＳ２２）、検出温度が基準温度以下かどうかを判断する（図１０のステップＳ２３）。ここで、検出された温度が基準温度以下でない場合には、処理はステップＳ２２に戻る。一方、検出された温度が基準温度以下の場合には、制御回路４９がロック機構４８のロックを解除させ（ステップ２４）、交換作業者が蓋４７を開け（ステップ２５）、光源部５を取り外す（図８（ｅ））。次に、交換作業者が、新しい光源部５をレールに取り付け（図８（ｆ））、ソケット等の配線接続を行ない（図示せず）、蓋４７を閉める（ステップＳ２７）。これで、ランプの交換が終了し、光源部５は現在点灯している光源部６に対しての予備の光源となる。尚、光源部５の代わりに点灯している光源部６については、ステップＳ１７から再びステップＳ１２からのフローへ進み、輝度の低下などのチェックが行なわれ、ランプが切れそうだと判断されたときは光源部５と交換される。このフローのときには、ステップＳ１５，Ｓ１７に示されている光源部６は、光源部５を示す。また、このときのステップＳ１６に示されている光源部５は、光源部６を示す。以上は、交換して新しくなった光源を予備の光源部として用いる場合である。
【００３３】
その他に、通常は光源部５を使用し、光源部６は光源部５を交換する間だけ使用する場合について説明する。この場合、光源部５の交換が済んだ後で、制御回路５９からの指令により、交換された新しい光源部５を点灯させ（図８（ｇ）、ステップＳ２８）、光源部６を待機位置１１に移動させて消灯し（図８（ｈ）、ステップＳ２９）、新しくなった光源部５を照射位置９に移動させる（図８（ｉ）、ステップＳ３０）。その後、処理は、図９のステップＳ１２に進み、ステップＳ１２〜Ｓ１７、及びＳ２１〜Ｓ３０の処理を繰り返す。
【００３４】
また、光源部５又は光源部６の輝度が低下した場合に限らず、光源部５又は光源部６のランプが切れて点灯不能になった場合（ランプ切れは、センサなどで、光や電流を検出することにより行なう）にも、上記したシーケンスで同様に対処することができる。
【００３５】
実施の形態２
図１１は、本発明の実施の形態２による映像投写装置１０１の制御系の構成を示すブロック図である。上記実施の形態１においては、温度センサー４６，５２の検出温度に基づいてロック機構４８，５４の状態を切り替えたが、実施の形態２においては、光源部５又は光源部６が、それぞれの待機位置８又は待機位置９に到達してからの時間を計測するタイマー７０を備え、タイマー７０の計測時間が所定の基準時間を超えたときにロック機構４８，５４のロックを解除するようにしている。ここで、基準時間は、点灯中の光源部のランプの温度が作業者に火傷を負わせない程度に低下するのに必要な時間とする。このようにロック機構４８，５４を制御することによっても、光源部５又は６の交換作業者が、高温のランプに触れて火傷を負う等の事故を防止できる。尚、実施の形態２において、上記以外の点は上記実施の形態１と同一である。
【００３６】
【発明の効果】
以上説明したように、請求項１又は２の発明によれば、照射位置にある第１の光源部から発せられ、光検出手段に達した光の強さが所定の基準値より弱い場合には、第１の移動機構により第１の光源部を第１の待機位置に移動させ、第２の移動機構により第２の光源部を照射位置に移動させ、第２の光源部を点灯させるので、監視の中断時間を短縮できるという効果がある。
【００３７】
また、映像表示手段及び光検出手段を第１の筐体内に設けることによって、光検出手段の出力に現われる外光の影響を小さくすることができ、光源部の交換時期を適切に選択できるという効果がある。
【００３８】
また、請求項３又は４の発明によれば、第１又は第２の温度センサーにより検知された温度が所定の基準温度より低いときに、第１又は第２のロック機構によるロックを解除させているので、ランプ交換時に作業者の安全を確保できるという効果がある。
【００３９】
また、請求項５又は６の発明によれば、タイマーにより第１又は第２の光源部が待機位置に到達してからの経過時間を計測し、経過時間が所定の基準時間を経過した後に、第１又は第２のロック機構によるロックを解除させているので、ランプ交換時に作業者の安全を確保できるという効果がある。
【図面の簡単な説明】
【図１】  本発明の実施の形態１による映像投写装置の制御系の構成を示すブロック図である。
【図２】  図１の映像投写装置の外観を概略的に示す斜視図である。
【図３】  図２の映像投写装置の内部構造を概略的に示す斜視図である。
【図４】  図２を垂直面で切り矢印Ｓ４方向に見た概略的な断面図である。
【図５】  実施の形態１の映像投写装置の光学系の構成を示す説明図である。
【図６】  複数台のコアユニットを上下左右に並べて４枚のスクリーン部からなる大型スクリーンを構成するマルチビジョン型の背面投写型プロジェクターであって、各コアユニットに実施の形態１の映像投写装置が組み込まれたものを示す一部切り欠き斜視図である。
【図７】  （ａ）及び（ｂ）は、図４に示されるロック機構の動作を示す説明図である。
【図８】  （ａ）〜（ｉ）は、実施の形態１の映像投写装置における光源部の交換動作を示す説明図である。
【図９】  実施の形態１の映像投写装置の動作を示すフローチャート（その１）である。
【図１０】  実施の形態１の映像投写装置の動作を示すフローチャート（その２）である。
【図１１】  本発明の実施の形態２による映像投写装置の制御系の構成を示すブロック図である。
【符号の説明】
１  映像投写装置、  ３  液晶パネル、  ５，６  光源部、  ８，１１  待機位置、  ９  照射位置、  １０，１２  移動機構、  ２２，３２  モータ、  ４０  光センサー、  ４６、５２  温度センサー、  ４８，５４  ロック機構、  ５９  制御回路、  ７０  タイマー。
【図１】
0004141031.tif 000002
【図２】
0004141031.tif 000003
【図３】
0004141031.tif 000004
【図４】
0004141031.tif 000005
【図５】
0004141031.tif 000006
【図６】
0004141031.tif 000007
【図７】
0004141031.tif 000008
【図８】
0004141031.tif 000009
【図９】
0004141031.tif 000010
【図１０】
0004141031.tif 000011
【図１１】
0004141031.tif 000012